(57)【特許請求の範囲】
【請求項１】
鉄筋コンクリートブロックに埋込まれるアンカーと、前記ブロック上に載置される吊り台と、該吊り台を前記アンカーに脱着自在に連結する連結手段とからなり、前記アンカーは、総ねじ付の第１のＰＣ鋼棒を備えると共に、該第１のＰＣ鋼棒の他端部を前記鉄筋コンクリートブロックの上面に設けられた凹部内に位置決めしており、前記吊り台は、上下方向に貫通する貫通孔を有する本体とこの本体下に設けられた支持脚とを備えると共に、該支持脚を介して前記ブロック上に載置されるようになっており、前記連結手段は、前記吊り台の本体の貫通孔を挿通して延ばされる総ねじ付の第２のＰＣ鋼棒と、前記凹部内において前記第１および第２のＰＣ鋼棒を螺合連結するカップラと、前記吊り台の上方へ抜け出た、前記第２のＰＣ鋼棒の上端部に螺合される締付ナットとを備えており、前記カップラは、前記凹部の底に一端が着座した状態でその他端部が前記吊り台の支持脚の間に突出するように全長が設定されていることを特徴とする鉄筋コンクリートブロックの吊り金具。
【請求項２】
アンカーとしての第１のＰＣ鋼棒の埋込み端部にナットを螺合したことを特徴とする請求項１に記載の鉄筋コンクリートブロックの吊り金具。
【発明の詳細な説明】
【０００１】
【発明の属する技術分野】
本発明は、鉄筋コンクリートブロックを吊り上げるための吊り金具に係り、特に架橋用スラブやケーソンのようにフラットな上面を必要とする大型の鉄筋コンクリートブロックの吊り上げに用いて好適な吊り金具に関するものである。
【０００２】
【従来の技術】
従来、鉄筋コンクリートブロック（以下、単にブロックという）を吊り上げるための吊り金具としては、一般に図４に示すような吊りダック１またはタコ足鉄筋２が用いられているが、これら吊りダック１またはタコ足鉄筋２が埋込まれる鉄筋コンクリートブロック３が、フラットな上面３ａを必要とする場合は、同図に示すようにブロック３の上面３ａに凹部４を設け、この凹部４内に吊りダック１または吊り鉄筋２のワイヤ通し部１ａ、２ａを位置させて、ブロック３の上面３ａから吊り金具が突出しないように配慮していた。
【０００３】
【発明が解決しようとする課題】
しかしながら、上記従来の吊り金具によれば、架橋用スラブやケーソンなどの大型のブロックを対象とした場合、吊りダック１またはタコ足鉄筋２として大径のものを用いなければならないため、それらのリング状またはＵ字状を呈するワイヤ通し部１ａ、２ａがそれぞれかなり大型となり、結果として、これらワイヤ通し部１ａ、２ａを収納するブロック３の凹部４を深くかつ大径に形成しなければならず、型枠内への鉄筋の取り回しが面倒になって、ブロックの製造が面倒になるという問題があった。また、ワイヤ通し部１ａ、２ａの存在により吊りダック１またはタコ足鉄筋２の重量が嵩むため、型枠内へのセットがクレーン作業となり、この面からもブロックの製造性が阻害されるという問題があった。
【０００４】
本発明は、上記従来の問題点に鑑みてなされたもので、その課題とするところは、フラットな上面を必要とする大型の鉄筋コンクリートブロックに対して、その製造性を阻害することなく適用できるようにすることにある。
【０００５】
【課題を解決するための手段】
上記課題を解決するため、本発明は、鉄筋コンクリートブロックに埋込まれるアンカーと、前記ブロック上に載置される吊り台と、該吊り台を前記アンカーに脱着自在に連結する連結手段とからなり、前記アンカーは、総ねじ付総ねじ付の第１のＰＣ鋼棒を備えると共に、該第１のＰＣ鋼棒の上端部を前記鉄筋コンクリートブロックの上面に設けられた凹部内に位置決めしており、前記吊り台は、上下方向に貫通する貫通孔を有する本体とこの本体下に設けられた支持脚とを備えると共に、該支持脚を介して前記ブロック上に載置されるようになっており、前記連結手段は、前記吊り台の本体の貫通孔を挿通して延ばされる総ねじ付の第２のＰＣ鋼棒と、前記凹部内において前記第１および第２のＰＣ鋼棒を螺合連結するカップラと、前記吊り台の上方へ抜け出た、前記第２のＰＣ鋼棒の上端部に螺合される締付ナットとを備えており、前記カップラは、前記凹部の底に一端が着座した状態でその他端部が前記吊り台の支持脚の間に突出するように全長が設定されている構成としたことを特徴とする。本発明は、前記アンカーとしての第１のＰＣ鋼棒の埋込み端部にナットを螺合した構成としてもよい。
【０００６】
上記のように構成した吊り金具においては、ブロックの製造後、このブロックに埋込まれた第１のＰＣ鋼棒にカップラを螺合すると共に、このカップラに吊り台の貫通孔を挿通させた第２のＰＣ鋼棒を螺合し、その後、第２のＰＣ鋼棒に締付ナットをねじ込めば、アンカーと吊り台とは簡単に連結されて一体の吊り金具が完成する。また使用後は、前記と逆の手順で吊り台をアンカーから切離すと、ブロックの上面に突起物が残ることはなくなる。しかも、ブロックの凹部には、第１のＰＣ鋼棒の先端部とカップラの一部とが配置されるだけなので、ブロックの凹部は小さくて済み、その上、ブロックに埋込まれる第１のＰＣ鋼棒は単純な棒形状であるので、その重量は小さくて済む。
【０００７】
【発明の実施の形態】
以下、本発明の実施の形態を添付図面に基いて説明する。
【０００８】
図１〜３において、１は本発明に係る吊り金具、２は本吊り金具１の設置対象である鉄筋コンクリートブロック（ブロック）で、吊り金具１には、作業機械（図示略）から延ばした吊りワイヤ３を掛けるためのフック４が取付けられている。吊り金具１は、ブロック２に予め埋込まれたアンカー５と、ブロック２の上面に載置される吊り台６と、この吊り台６を前記アンカー５に脱着自在に連結する連結手段７とから概略構成され、ブロック２の大きさおよび重量に応じてその側縁に沿って所定数設置される。
【０００９】
アンカー５は、総ねじ付の複数（ここでは２本）の第１のＰＣ鋼棒８とこの第１のＰＣ鋼棒８の下端部に螺合されたナット９とを備えている。第１のＰＣ鋼棒８は、ナット９を螺合した下端部を埋込み端部として、その上端部をブロック２の上面に設けた凹部１０内に位置させてブロック２に埋設されている。また、吊り台６は、上下方向に貫通する２つの貫通孔１１および前記フック４を取付けるための横方向の貫通孔１２を有する矩形の本体１３と、この本体１３の上下面および左右側面を囲む枠体１４と、この枠体１４の下面に突設した複数の支持脚１５とを備えている。上下方向の２つの貫通孔１１は、前記アンカー５を構成する２本の第１のＰＣ鋼棒８と同じ配列ピッチで設けられ、枠体１４の下面側において前記複数の支持脚１５の間に開口している。
【００１０】
一方、連結手段７は、前記吊り台６に設けた上下方向の貫通孔１１を挿通して延ばされる総ねじ付の第２のＰＣ鋼棒１６と、この第２のＰＣ鋼棒１６と前記ブロック２に埋込まれた第１のＰＣ鋼棒８との双方に螺合可能なカップラ１７と、吊り台６の上方へ抜け出た、第２のＰＣ鋼棒１６の上端部にワッシャ１８を介して螺合される締付用ナット１９とを備えている。カップラ１７は、図３に良く示されるように、長手方向の中間を厚肉としているが全体として薄肉のパイプ状のもので、その長さＬは、ブロック２の凹部１０の深さＨ１  と吊り台６の支持脚１５の高さＨ２  とを加算した値よりも小さく設定されている。なお、第１のＰＣ鋼棒８としては、吊り上げるべきブロック２の重量およびブロック２に対する設置数に応じて適宜の大きさのものを選択するが、一例として直径２３〜３６ｍｍ、長さ４００  〜６００ｍｍ  の大きさを有するものが用いられる。また、ブロック２に設ける凹部１０の深さは、一例として５０〜１５０ｍｍ  に設定される。
【００１１】
上記吊り金具１を組立てるには、ブロック２の製造後、先ずブロック２の凹部１０内にのぞく第１のＰＣ鋼棒８（アンカー５）にカップラ１７を螺合し、次に、このカップラ１７に第２のＰＣ鋼棒１６を螺合する。第１のＰＣ鋼棒８にカップラ１７を螺合するに際しては、カップラ１７をその一端が凹部１０の底に着座するまでねじ込むようにし、これにより第１のＰＣ鋼棒１６の先端がカップラ１７の長手方向中間点付近まで達するようになる。また、このカップラ１７に対しては、第２のＰＣ鋼棒１６をその先端が前記第１のＰＣ鋼棒８の先端に当接する程度までねじ込むようにし、これによりカップラ１７の全長の有効利用が可能になる。
【００１２】
次に、吊り台６の上下方向の貫通孔１１に第２のＰＣ鋼棒１６を差込みながら、吊り台６をブロック２の上面に載置し、続いてこの第２のＰＣ鋼棒１６の上端にワッシャ１８を介して締付ナット１９を螺合する。そして、締付ナット１９ををねじ込むと、吊り台６はブロック２上に強固に締付固定され、吊り金具１の組立は完了する。このように構成した吊り金具１は、アンカー５を構成する第１のＰＣ鋼棒８にナット９を螺合させているので、ナット９が引抜抵抗となり、従来の吊りダック１またはタコ足鉄筋２（図４）のように摩擦抵抗が引抜抵抗となるものと異なって、短い埋込み長さでも大きな引抜抵抗を発揮する。すなわち、アンカー５の埋込み長さを小さくできる分、例えば厚さの薄い架橋用スラブなどの吊り金具としての利用も可能になる。そして使用後は、前記と逆の手順で吊り台６をアンカー５から切り離し、かつカップラ１７を取り外すと、ブロック２の上面には何らの障害物（突起物）も残らず、フラットな上面を必要とする鉄筋コンクリートブロックの吊り金具として有用となる。
【００１３】
なお、上記実施の形態において、吊り台６にフック４を取付けて、このフック４に吊りワイヤ３を掛けるようにようにしたが、作業機械側の吊り様式によっては、このフック４に代えて他の係止具を取付け、あるいはフック４を省略して横方向の貫通孔１２に直接吊りワイヤ３を通すようにすることができる。
【００１４】
【発明の効果】
以上、詳細に説明したように、本発明の鉄筋コンクリートブロックの吊り金具によれば、鉄筋コンクリートブロックに設けられる凹部にはアンカーとしてのＰＣ鋼棒の先端部とカップラの一部とが配置されるだけなので、前記凹部は小さくて済み、該凹部が鉄筋コンクリートブロック製造時における型枠内への鉄筋の取り回しの障害となることがなく、鉄筋コンクリートブロックの製造が容易になる。また、鉄筋コンクリートブロックにはＰＣ鋼棒が埋め込まれるだけなので、その重量は小さくて済み、鉄筋コンクリートブロック製造時にアンカーセットのためにクレーン操作する必要がなく、この面からも製造性が改善される。さらに、このＰＣ鋼棒は総ねじとなっているので、埋込み長さを短くしても十分なる引抜抵抗を発揮し、厚さの薄い鉄筋コンクリートブロックにも適用可能となって、適用範囲は拡大する。
【図面の簡単な説明】
【図１】本発明に係る鉄筋コンクリートブロックの吊り金具の構造と設置状態を示す斜視図である。
【図２】図１に示した吊り金具の縦断面図である。
【図３】本吊り金具で用いるカップラの形状を示す断面図である。
【図４】従来の吊り金具の構造と設置状態を示す断面図である。
【符号の説明】
１  吊り金具
２  鉄筋コンクリートブロック
３  吊りワイヤ
４  フック
５  アンカー
６  吊り台
７  連結手段
８  第１のＰＣ鋼棒
９  ナット
１０  凹部
１１  貫通孔
１３  吊り台の本体
１５  支持脚
１６  第２のＰＣ鋼棒
１９  締付ナット
【図１】
0003600972.tif 000002
【図２】
0003600972.tif 000003
【図３】
0003600972.tif 000004
【図４】
0003600972.tif 000005